(57)【要約】【課題】ユーザが視認し難い表示領域に表示されるオブジェクトを容易に操作する、ことを目的とする。【解決手段】フレキシブル・ディスプレイ装置１は、位置とサイズとが予め定められた第１画像表示領域４Ａ及び第２画像表示領域４Ｂを備える。第１画像表示領域４Ａと第２画像表示領域４Ｂとの位置関係がテントモードに変化したと判定された場合に、第１画像表示領域４Ａにはクロスボーダータスクバー５Ａが表示される。クロスボーダータスクバー５Ａは、第２画像表示領域４Ｂに表示されるオブジェクトをユーザが操作するためのグラフィカル・ユーザ・インターフェイスである。クロスボーダータスクバー５Ａは、第１画像表示領域４Ａに表示されているオブジェクトがドラッグされるトンネルウィンドウを有する。トンネルウィンドウにドラッグされたオブジェクトは、第２画像表示領域４Ｂに表示される。【選択図】図２
2017211925.tif 000002
【特許請求の範囲】
【請求項１】
第１画像表示領域と、
第２画像表示領域と、
前記第１画像表示領域と前記第２画像表示領域との位置関係が予め定められた位置関係に変化したことを判定する判定部と、
前記判定部によって、前記第１画像表示領域と前記第２画像表示領域との位置関係が予め定められた位置関係に変化したと判定された場合に、前記第２画像表示領域に表示されるオブジェクトをユーザが操作するためのグラフィカル・ユーザ・インターフェイスを前記第１画像表示領域に表示させる画像表示制御部と、
を備える情報処理装置。
【請求項２】
前記グラフィカル・ユーザ・インターフェイスは、前記第１画像表示領域に表示されているオブジェクトがドラッグされるドラッグ領域を有し、
前記ドラッグ領域にドラッグされたオブジェクトは、前記第２画像表示領域に表示される請求項１に記載の情報処理装置。
【請求項３】
前記グラフィカル・ユーザ・インターフェイスは、前記第２画像表示領域にプレゼンテーション用の画像を表示させるプレゼンテーションボタン、及び前記第１画像表示領域に表示されているオブジェクトと同じオブジェクトを前記第２画像表示領域に表示させるミラーボタンを有する請求項２に記載の情報処理装置。
【請求項４】
前記プレゼンテーションボタン又は前記ミラーボタンを押すことによって変化する画面モードを有し、
前記画像表示制御部が、前記画面モードに応じて前記ドラッグ領域にドラッグされたオブジェクトの前記第２画像表示領域における表示状態を異ならせる請求項３に記載の情報処理装置。
【請求項５】
前記グラフィカル・ユーザ・インターフェイスは、前記第２画像表示領域に表示される動画をユーザが操作するための操作ボタンを有する請求項１に記載の情報処理装置。
【請求項６】
前記グラフィカル・ユーザ・インターフェイスは、予め定められたオブジェクトを前記第２画像表示領域に表示させるためのボタンを有する請求項１に記載の情報処理装置。
【請求項７】
前記グラフィカル・ユーザ・インターフェイスは、前記第１画像表示領域及び前記第２画像表示領域に表示される請求項１に記載の情報処理装置。
【請求項８】
前記第２画像表示領域に表示される前記グラフィカル・ユーザ・インターフェイスは、前記第２画像表示領域に表示されているオブジェクトがドラッグされるドラッグ領域を有し、
前記ドラッグ領域にドラッグされたオブジェクトは、前記第１画像表示領域に表示される請求項７に記載の情報処理装置。
【請求項９】
前記第２画像表示領域に表示される前記グラフィカル・ユーザ・インターフェイスは、前記第２画像表示領域に表示された画像に書き込みを行うためのボタンと、書き込みを行った画像を前記第１画像表示領域に表示させるボタンとを有する請求項７に記載の情報処理装置。
【請求項１０】
前記第１画像表示領域には、前記第２画像表示領域の表示状態を表示するポップアップ・ウィンドウが表示される請求項１に記載の情報処理装置。
【請求項１１】
前記第１画像表示領域が設けられる第１筐体と、
前記第２画像表示領域が設けられる第２筐体と、
前記第１筐体と前記第２筐体とを回転可能に連結する連結部と、
を備えた請求項１に記載の情報処理装置。
【請求項１２】
前記グラフィカル・ユーザ・インターフェイスは、回転により前記第１画像表示領域と前記第２画像表示領域とが各々異なる方向を向く場合に、前記第１画像表示領域に表示される請求項１１に記載の情報処理装置。
【請求項１３】
前記第１筐体と前記第２筐体とが分割可能とされている請求項１１に記載の情報処理装置。
【請求項１４】
前記グラフィカル・ユーザ・インターフェイスは、前記第１筐体と前記第２筐体とが分割された場合に、前記第１画像表示領域に表示される請求項１３に記載の情報処理装置。
【請求項１５】
第１画像表示領域と第２画像表示領域とを備える情報処理装置の画像表示方法であって、
前記第１画像表示領域と前記第２画像表示領域との位置関係が予め定められた位置関係に変化したことを判定し、
前記第１画像表示領域と前記第２画像表示領域との位置関係が予め定められた位置関係に変化したと判定した場合に、前記第２画像表示領域に表示されるオブジェクトをユーザが操作するためのグラフィカル・ユーザ・インターフェイスを前記第１画像表示領域に表示する
画像表示方法。
【請求項１６】
第１画像表示領域と第２画像表示領域とを備える情報処理装置が有するコンピュータを、
前記第１画像表示領域と前記第２画像表示領域との位置関係が予め定められた位置関係に変化したことを判定する判定部と、
前記判定部によって、第１画像表示領域と前記第２画像表示領域との位置関係が予め定められた位置関係に変化したと判定された場合に、前記第２画像表示領域に表示されるオブジェクトをユーザが操作するためのグラフィカル・ユーザ・インターフェイスを前記第１画像表示領域に表示させる画像表示制御部と、
して機能させるプログラム。
【発明の詳細な説明】
【技術分野】
【０００１】
本発明は、情報処理装置及び画像表示方法に関するものである。
【背景技術】
【０００２】
２つの表示領域を有する画像表示部を備える情報処理装置を用いて、例えば、発表者と閲覧者とが対面し、発表者によるプレゼンテーションを行うことが想定される。
【０００３】
このような場合において情報処理装置は、例えば、一方の表示領域が発表者側を向き、他方の表示領域が閲覧者側を向くように使用される。発表者は、閲覧者側を向いた表示領域に画像等のオブジェクトを表示させてプレゼンテーションを行う。
【発明の概要】
【発明が解決しようとする課題】
【０００４】
一方の表示領域が発表者側を向き、他方の表示領域が閲覧者側を向いている場合、発表者は、閲覧者側を向いた表示領域の表示状態を正確に把握し難い。また、閲覧者側を向いた表示領域におけるオブジェクトの表示状態を、発表者が容易に操作する手法がない。
【０００５】
本発明の目的は、ユーザが視認し難い表示領域に表示されるオブジェクトを容易に操作できる、情報処理装置及び画像表示方法を提供することである。
【課題を解決するための手段】
【０００６】
本発明の第一態様は、第１画像表示領域と、第２画像表示領域と、前記第１画像表示領域と前記第２画像表示領域との位置関係が予め定められた位置関係に変化したことを判定する判定部と、前記判定部によって、第１画像表示領域と前記第２画像表示領域との位置関係が予め定められた位置関係に変化したと判定された場合に、前記第２画像表示領域に表示されるオブジェクトをユーザが操作するためのグラフィカル・ユーザ・インターフェイス（Graphical  User  Interface）を前記第１画像表示領域に表示させる画像表示制御部と、を備える情報処理装置である。
【０００７】
本発明の第二態様は、第１画像表示領域と第２画像表示領域とを備える情報処理装置の画像表示方法であって、前記第１画像表示領域と前記第２画像表示領域との位置関係が予め定められた位置関係に変化したことを判定し、前記第１画像表示領域と前記第２画像表示領域との位置関係が予め定められた位置関係に変化したと判定した場合に、前記第２画像表示領域に表示されるオブジェクトをユーザが操作するためのグラフィカル・ユーザ・インターフェイスを前記第１画像表示領域に表示する画像表示方法である。
【０００８】
本発明の第三態様は、第１画像表示領域と第２画像表示領域とを備える情報処理装置が有するコンピュータを、前記第１画像表示領域と前記第２画像表示領域との位置関係が予め定められた位置関係に変化したことを判定する判定部と、前記判定部によって、第１画像表示領域と前記第２画像表示領域との位置関係が予め定められた位置関係に変化したと判定された場合に、前記第２画像表示領域に表示されるオブジェクトをユーザが操作するためのグラフィカル・ユーザ・インターフェイスを前記第１画像表示領域に表示させる画像表示制御部と、して機能させるプログラムである。
【発明の効果】
【０００９】
本発明によれば、ユーザが視認し難い表示領域に表示されるオブジェクトを容易に操作できる、という効果を有する。
【図面の簡単な説明】
【００１０】
【図１】図１は、本発明の第１実施形態に係るフレキシブル・ディスプレイ装置の概略外観図である。
【図２】図２は、本発明の第１実施形態に係るフレキシブル・ディスプレイ装置をテントモードにした状態の概略外観図である。
【図３】図３は、本発明の第１実施形態に係るフレキシブル・ディスプレイ装置の電気的構成を示すブロック図である。
【図４】図４は、本発明の第１実施形態に係る画面表示操作機能に関する機能ブロック図である。
【図５】図５は、本発明の第１実施形態に係るクロスボーダータスクバーを示す図である。
【図６】図６は、本発明の第２実施形態に係るクロスボーダータスクバーを用いた双方向操作の例を示す模式図である。
【図７】図７は、本発明の第２実施形態に係るクロスボーダータスクバーを用いた双方向操作の例を示す模式図である。
【図８】図８は、本発明の第３実施形態に係るタブレット端末の概略構成図である。
【発明を実施するための形態】
【００１１】
以下に、本発明に係る情報処理装置及び画像表示方法の一実施形態について、図面を参照して説明する。
【００１２】
（第１実施形態）
図１は、本実施形態に係る情報処理装置であるフレキシブル・ディスプレイ装置１の概略外観図である。
【００１３】
フレキシブル・ディスプレイ装置１は、柔軟性を有する画像表示部４を備える。画像表示部４は一例としてタッチパネルとされている。
【００１４】
フレキシブル・ディスプレイ装置１は、第１筐体２Ａ及び第２筐体２Ｂを備えている。第１筐体２Ａ及び第２筐体２Ｂは、一例として、略矩形とされる。
【００１５】
フレキシブル・ディスプレイ装置１は、第１筐体２Ａと第２筐体２Ｂとを回転可能に連結するヒンジ（連結部）３を備えている。回転軸Ｒに対する第１筐体２Ａと第２筐体２Ｂとの角度を「θ」と規定する。ヒンジ３は、第１筐体２Ａと第２筐体２Ｂとを回転軸Ｒを中心に３６０度回転可能に連結する。
【００１６】
画像表示部４は、その中心線が回転軸Ｒに重なるように、第１筐体２Ａと第２筐体２Ｂとに設けられる。第１筐体２Ａと第２筐体２Ｂとを回転軸Ｒを中心に回転させると、柔軟性を有している画像表示部４は回転に追従して曲がる。
【００１７】
フレキシブル・ディスプレイ装置１は、第１筐体２Ａと第２筐体２Ｂとをヒンジ３によって回転させることにより各種モードにできる。図１に示される状態は、θ＝１８０°であり、画像表示部４を平面状としたタブレットモードである。
【００１８】
図２に示される状態は、１８０°＜θ＜３６０°であり、回転により第１画像表示領域４Ａと第２画像表示領域４Ｂとが各々異なる方向を向くテントモードである。
【００１９】
フレキシブル・ディスプレイ装置１のモードは、タブレットモードやテントモードの他に、クローズモード、クラムシェルモード、ベーシックモード、ブックモード等がある。クローズモードは、θ＝０°とされて画像表示部４が内側を向いて折りたたまれた状態である。クラムシェルモードは、０°＜θ＜１８０°とされた状態である。ベーシックモードは、θ＝３６０°とされて画像表示部４が外側を向いて折りたたまれた状態である。ブックモードは、０°＜θ＜１８０°で、回転軸Ｒが水平面に対して略鉛直方向を向いた状態である。
【００２０】
フレキシブル・ディスプレイ装置１がテントモードとされると、画像表示部４は、回転軸Ｒを分割線として第１画像表示領域４Ａと第２画像表示領域４Ｂとに仮想的に分割される。なお、テントモードでは、第２画像表示領域４Ｂに表示される画像が正しく閲覧できるように、第２画像表示領域４Ｂは画像を表示する向きが第１画像表示領域４Ａとは上下逆向きになる。
第１画像表示領域４Ａと第２画像表示領域４Ｂとは、位置及びサイズが予め定められているが、上記のように回転軸Ｒを分割線としなくてもよい。また、第１画像表示領域４Ａと第２画像表示領域４Ｂとは、サイズが異なってもよい。さらに、フレキシブル・ディスプレイ装置１が、回転軸Ｒを有さず、自由に曲げることが可能である場合、第１画像表示領域４Ａと第２画像表示領域４Ｂとは、位置及びサイズは予め定められていない。
【００２１】
テントモードは、プレゼンテーションを行う場合に用いられる。例えば、第１画像表示領域４Ａがユーザである発表者側を向き、第２画像表示領域４Ｂが閲覧者側を向くように配置される。発表者は、閲覧者側を向いた第２画像表示領域４Ｂに画像等のオブジェクトを表示させてプレゼンテーションを行う。しかしながら、第１画像表示領域４Ａ側の発表者は、閲覧者側の第２画像表示領域４Ｂの表示状態を視認し難い。このため、発表者の想定しているオブジェクトが第２画像表示領域４Ｂに表示されているかを確認し難い。
【００２２】
そこで、本実施形態に係るフレキシブル・ディスプレイ装置１は、テントモードとされると、第１画像表示領域４Ａにクロスボーダータスクバー５Ａを表示する。クロスボーダータスクバーは、第２画像表示領域４Ｂに表示されるオブジェクトをユーザが操作するためのグラフィカル・ユーザ・インターフェイスであり、詳細は後述する。
【００２３】
図３は、フレキシブル・ディスプレイ装置１の電気的構成を示す機能ブロック図である。
【００２４】
フレキシブル・ディスプレイ装置１は、制御部１０、メモリ１１、記録部１２、通信部１３、グラフィクスアダプタ１６、入力コントローラ１７、ホール素子１９、第１加速度センサ２０、及び第２加速度センサ２１を備えている。
【００２５】
制御部１０は、例えば、ＣＰＵ（Central  Processing  Unit）、マイクロプロセッサ、ＤＳＰ（Digital  Signal  Processor）等であり、フレキシブル・ディスプレイ装置１の動作を統括的に制御して各種の機能（モード）を実現する。具体的には、制御部１０は、記録部１２に記録されているデータやメモリ１１に展開したデータを必要に応じて参照しつつ、記録部１２に記録されているプログラムに含まれる命令を実行して、タッチパネルである画像表示部４、通信部１３を制御することによって各種機能を実現する。なお、制御部１０が実行するプログラムや参照するデータは、通信部１３による無線通信でサーバ装置からダウンロードすることとしてもよい。
【００２６】
メモリ１１は、例えば、ＲＡＭ（Random  Access  Memory）やＤＲＡＭ（Dynamic  Random  Access  Memory）等で構成されており、制御部１０によって実行されるプログラム、制御部１０が参照するデータ、制御部１０の演算結果等が一時的に記録されるワークエリアとして使用される。
【００２７】
記録部１２は、例えば不揮発性メモリであり、制御部１０での処理に利用されるプログラムやデータを保存する。記録部１２に記録されるプログラムには、フレキシブル・ディスプレイ装置１の基本的な機能を実現するＯＳ（Operation  System）、デバイスをハードウェア制御するためのデバイス・ドライバ、ＷＥＢブラウジング機能を実現するための機能を提供するブラウザプログラム等が含まれる。
【００２８】
通信部１３は、ネットワークを介して他の情報処理装置との通信を制御する。
【００２９】
タッチパネルである画像表示部４は、有機ＥＬ（Organic  Electro−Luminescence）ディスプレイ７Ａ及びタッチセンサ７Ｂを備える。
【００３０】
有機ＥＬディスプレイ７Ａは、入力されるビデオ信号を画像として表示する。
【００３１】
タッチセンサ７Ｂは、例えば、静電容量方式のタッチセンサであり、有機ＥＬディスプレイ７Ａに対するユーザのタッチ位置を検出して、入力コントローラ１７に出力する。タッチセンサ７Ｂは、有機ＥＬディスプレイ７Ａの画面に表示される各種メニュー、アイコン、ボタン、及びキーボード等の画面オブジェクトを選択して入力操作を行ったり、テキストの入力操作や、スクロールやスワイプ等の画面操作を行うためのものである。
【００３２】
グラフィクスアダプタ１６は、制御部１０の制御に従って、表示情報をビデオ信号に変換し、変換したビデオ信号を有機ＥＬディスプレイ７Ａに出力する。
【００３３】
入力コントローラ１７は、プロセッサが記録部１２等に格納されたプログラムを実行することにより各種処理を行い、タッチセンサ７Ｂの動作を制御する。
【００３４】
ホール素子１９は、双極性のホール素子であり、第１筐体２Ａの内部に配置されている。ホール素子１９が配置される位置は、第２筐体２Ｂの内部に配置されるマグネット（不図示）が配置される位置に対応する。より詳細には、フレキシブル・ディスプレイ装置１のクローズモード及びベーシックモードにおいて、ホール素子１９とマグネットが対向するように、ホール素子１９及びマグネットが配置される。
【００３５】
ホール素子１９は、第２筐体２Ｂの内部に配置されているマグネットから発生する磁界を検出して、磁界の検出結果を制御部１０に出力する。
【００３６】
第１加速度センサ２０は、第１筐体２Ａに対して、長手方向に平行なＸ１方向、短手方向に平行なＹ１方向、Ｘ１及びＹ１方向に垂直なＺ１方向の加速度を検出する。検出されたＸ１Ｙ１Ｚ１方向の加速度値Ａｘ１（ｔ），Ａｙ１（ｔ），Ａｚ１（ｔ）は、制御部１０に出力される。
【００３７】
第２加速度センサ２１は、第２筐体２Ｂに対して、長手方向に平行なＸ２方向、短手方向に平行なＹ２方向、Ｘ２及びＹ２方向に垂直なＺ２方向の加速度を検出する。検出されたＸ２Ｙ２Ｚ２方向の加速度値Ａｘ２（ｔ），Ａｙ２（ｔ），Ａｚ２（ｔ）は、制御部１０に出力される。
【００３８】
図４は、画面表示操作機能に関する機能ブロック図である。
【００３９】
画面表示操作機能は、クロスボーダータスクバー５Ａを第１画像表示領域４Ａに表示させ、第２画像表示領域４Ｂに表示されるオブジェクトを第１画像表示領域４Ａ側のユーザが操作可能とする機能である。
【００４０】
制御部１０は、モード判定部２５及び画像表示制御部２６を備える。
【００４１】
モード判定部２５は、フレキシブル・ディスプレイ装置１の現在のモードを判定する。すなわち、モード判定部２５は、第１画像表示領域４Ａと第２画像表示領域４Ｂとの位置関係を判定する。モード判定部２５は、第１加速度センサ２０から出力された加速度値Ａｘ１（ｔ），Ａｙ１（ｔ），Ａｚ１（ｔ）に基づいて、第１筐体２Ａの向きを検出する。モード判定部２５は、第２加速度センサ２１から出力された加速度値Ａｘ２（ｔ），Ａｙ２（ｔ），Ａｚ２（ｔ）に基づいて、第２筐体２Ｂの向きを検出する。そして、モード判定部２５は、検出した第１筐体２Ａ及び第２筐体２Ｂの向きに基づいて、タブレットモード、テントモード、ブックモード、及びクラムシェルモードを判定する。
【００４２】
また、モード判定部２５は、ホール素子１９の磁界の検出結果に基づいて、ベーシックモード及びクローズモードを判別する。
【００４３】
このように、第１加速度センサ２０、第２加速度センサ２１、及びホール素子１９は、第１筐体２Ａと第２筐体２Ｂの向き、換言すると、第１画像表示領域４Ａと第２画像表示領域４Ｂの向きを検出する検出部である。
【００４４】
そして、モード判定部２５は、第１画像表示領域４Ａと第２画像表示領域４Ｂとの位置関係が予め定められた位置関係を示すモードに変化したことを判定する。なお、予め定められた位置関係とは、一例として、テントモードである。
【００４５】
画像表示制御部２６は、モード判定部２５によってテントモードに変化したと判定された場合、グラフィクスアダプタ１６を介して、第１画像表示領域４Ａにクロスボーダータスクバー５Ａを表示させる。モード判定部２５によってテントモードが他のモードに変わったと判定された場合、画像表示制御部２６は、第１画像表示領域４Ａに表示されているクロスボーダータスクバー５Ａを消す。
【００４６】
そして、画像表示制御部２６は、クロスボーダータスクバー５Ａに対するユーザの操作に応じて、グラフィクスアダプタ１６を介して、第２画像表示領域４Ｂにオブジェクトを表示させる。オブジェクトとは、静止画、動画、音声データ、フォルダ、その他各種ファイル等、ユーザの操作対象となるデータであり、コンテンツともいう。
【００４７】
図５は、クロスボーダータスクバー５Ａを示す図である。
【００４８】
クロスボーダータスクバー５Ａは、図２にも示されるように、一例として、第１画像表示領域４Ａの上辺に沿って表示される。しかし、クロスボーダータスクバー５Ａは、第１画像表示領域４Ａの下辺、左辺、又は右辺に沿って表示されてもよい。また、クロスボーダータスクバー５Ａは、ユーザによって任意の位置に移動可能とされてもよい。
【００４９】
第１画像表示領域４Ａは、クロスボーダータスクバー５Ａが表示されると、図２に示すように、第２画像表示領域４Ｂの表示状態を表示するポップアップ・ウィンドウ４３が表示される。
【００５０】
クロスボーダータスクバー５Ａは、トンネルウィンドウ３０Ａ、画面モード切替ボタン３１、及びコントロールボタン３２を備える。
【００５１】
トンネルウィンドウ３０Ａは、第１画像表示領域４Ａに表示されているオブジェクトがユーザによってドラッグされるドラッグ領域である。トンネルウィンドウ３０Ａにドラッグされるオブジェクトは、静止画又は動画を示すアイコンや、データが格納されているフォルダである。
【００５２】
トンネルウィンドウ３０Ａにドラッグされたオブジェクトは、第２画像表示領域４Ｂに表示される。具体的には、ドラッグされたオブジェクトが静止画や動画である場合、この静止画や動画が第２画像表示領域４Ｂに表示される。ドラッグされたオブジェクトがフォルダである場合、このフォルダに格納されているデータと共に第２画像表示領域４Ｂにフォルダがコピーされて表示される。第２画像表示領域４Ｂに表示されたフォルダに格納されているデータは、第２画像表示領域４Ｂ側のユーザが自由に開くことができる。
【００５３】
また、第１画像表示領域４Ａにおいてトンネルウィンドウ３０Ａにドラッグ後のオブジェクトは、ドラッグ前の元の位置に戻る。
【００５４】
トンネルウィンドウ３０Ａの形状は、一例として台形とされているが、これに限らず、ユーザが直感的に第２画像表示領域４Ｂへオブジェクトを出力可能と感じる形状であればよい。トンネルウィンドウ３０Ａの形状は、例えば、第２画像表示領域４Ｂの方向に向かって幅が狭くなる形状であり、三角形や矢印形等、他の形状とされてもよい。
【００５５】
画面モード切替ボタン３１は、第２画像表示領域４Ｂの画面モードをユーザによって切り替えるボタンである。画面モード切替ボタン３１には、プレゼンテーションボタン３１Ａ、ミラーボタン３１Ｂ、広告ボタン３１Ｃ、及びオフボタン３１Ｄが含まれる。
【００５６】
プレゼンテーションボタン３１Ａは、第２画像表示領域４Ｂにプレゼンテーション用の画像を表示させるボタンである。プレゼンテーションボタン３１Ａが押された場合の画面モードをプレゼンテーションモードという。
【００５７】
例えば、プレゼンテーションモードの場合に、プレゼンテーションソフトウェアを起動すると、プレゼンテーションに用いる画像（以下「プレゼンテーション画像」という。）のみが第２画像表示領域４Ｂに表示される。一方、第１画像表示領域４Ａには、第２画像表示領域４Ｂに表示させるプレゼンテーション画像と共に、発表者であるユーザが必要とする他の画像も表示される。
【００５８】
プレゼンテーションモードの場合に、トンネルウィンドウ３０Ａに静止画をドラッグすると、第２画像表示領域４Ｂには、ドラッグされた静止画が表示される。プレゼンテーションモードの場合に、トンネルウィンドウ３０Ａに動画をドラッグすると、第２画像表示領域４Ｂには、ドラッグされた動画が再生される。また、プレゼンテーションモードの場合に、トンネルウィンドウ３０Ａに複数の静止画が格納されたフォルダをドラッグすると、第２画像表示領域４Ｂには、ドラッグされたフォルダに格納された静止画がスライドショウによって表示される。なお、トンネルウィンドウ３０Ａにドラッグされた画像は、第２画像表示領域４Ｂにポップアップ・ウィンドウで表示されてもよい。
【００５９】
ミラーボタン３１Ｂは、第１画像表示領域４Ａに表示されている画像と同じ画像を第２画像表示領域４Ｂに表示させるボタンである。ミラーボタン３１Ｂが押された場合の画面モードをミラーモードという。
例えば、ミラーモードの場合、トンネルウィンドウ３０Ａにフォルダをドラッグすると、第２画像表示領域４Ｂにドラッグされたフォルダがコピーされ、表示される。第２画像表示領域４Ｂ側のユーザは、第２画像表示領域４Ｂに表示されたフォルダに格納されているデータを自由に閲覧できる。
【００６０】
このように、画像表示制御部２６は、プレゼンテーションボタン３１Ａ又はミラーボタン３１Ｂを押すことで変化する画面モードに応じて、トンネルウィンドウ３０Ａにドラッグされたオブジェクトの第２画像表示領域４Ｂでの表示状態を異ならせる。
【００６１】
広告ボタン３１Ｃは、予め定められたオブジェクトを第２画像表示領域４Ｂに表示させる。広告ボタン３１Ｃが押された場合の画面モードを広告表示モードという。この予め定められたオブジェクトとは、例えば、企業広告を表した静止画や動画等である。
【００６２】
オフボタン３１Ｄは、第２画像表示領域４Ｂに対する操作を停止させるボタンである。オフボタン３１Ｄが押された場合の画面モードをオフモードという。オフボタン３１Ｄが押されると、例えば、第２画像表示領域４Ｂには何も表示されない、又は予め定められた画像が表示される。
【００６３】
オフボタン３１Ｄが押されても、その後、トンネルウィンドウ３０Ａにオブジェクトがドラッグされたり、プレゼンテーションボタン３１Ａやミラーボタン３１Ｂが押されることで、モードが切り替わり、各種オブジェクトが第２画像表示領域４Ｂに表示される。
【００６４】
コントロールボタン３２は、第２画像表示領域４Ｂに表示させている動画や音声データ等のオブジェクトの再生、停止、早送り、及び早戻し等のボタンが含まれる。
【００６５】
以上説明したように、本実施形態に係るフレキシブル・ディスプレイ装置１は、画像を表示する第１画像表示領域４Ａと第２画像表示領域４Ｂを備える。第１画像表示領域４Ａと第２画像表示領域４Ｂとの位置関係がテントモードに変化したと判定された場合に、第１画像表示領域４Ａにはクロスボーダータスクバー５Ａが表示される。
【００６６】
従って、フレキシブル・ディスプレイ装置１は、ユーザが視認し難い表示領域に表示されるオブジェクトを容易に操作できる。
【００６７】
（第２実施形態）
以下、本発明の第２実施形態について説明する。
【００６８】
なお、本実施形態に係るフレキシブル・ディスプレイ装置１の構成は、図１〜４に示す第１実施形態に係るフレキシブル・ディスプレイ装置１の構成と同様であるので説明を省略する。
【００６９】
本実施形態では、第１画像表示領域４Ａにクロスボーダータスクバー５Ａが表示されると共に、第２画像表示領域４Ｂにクロスボーダータスクバー５Ｂが表示される。これにより、フレキシブル・ディスプレイ装置１は、クロスボーダータスクバー５Ａ，５Ｂを用いた第１画像表示領域４Ａと第２画像表示領域４Ｂに対する双方向操作が可能となる。
【００７０】
図６，７は、第２画像表示領域４Ｂに表示されるクロスボーダータスクバー５Ｂを用いた双方向操作の例を示す模式図である。図６，７において、第１画像表示領域４Ａは発表者側であり、第２画像表示領域４Ｂは閲覧者側である。
【００７１】
クロスボーダータスクバー５Ｂは、トンネルウィンドウ３０Ｂ、ミラーボタン３１Ｅ、及びペンボタン３３を有する。このように、クロスボーダータスクバー５Ｂは、一例として、クロスボーダータスクバー５Ａに比べて機能が制限されている。
【００７２】
ペンボタン３３は、第２画像表示領域４Ｂに表示された画像に書き込みを行うためのボタンである。ユーザがペンボタン３３を押し、その後、指等の指示体により第２画像表示領域４Ｂにタッチすることで、ユーザは表示されている画像に書き込みを行える。
【００７３】
ミラーボタン３１Ｅは、書き込みを行った画像を第１画像表示領域４Ａに表示させるボタンである。
【００７４】
図６は、トンネルウィンドウ３０Ａを介して第１画像表示領域４Ａから第２画像表示領域４Ｂにフォルダ４０がドラッグされ、フォルダ４０が開かれた状態を示している。フォルダ４０には、複数のオブジェクトが格納されている。より具体的には、クロスボーダータスクバー５Ａのミラーボタン３１Ｂを押してミラーモードとし、トンネルウィンドウ３０Ａにフォルダ４０をドラッグすると、第２画像表示領域４Ｂにフォルダ４０が表示される。
【００７５】
第２画像表示領域４Ｂ側のユーザは、フォルダ４０に格納されているオブジェクト４１をトンネルウィンドウ３０Ｂへドラッグする。これにより、第１画像表示領域４Ａには、オブジェクト４１の内容が表示される。図６の例では、フォルダ４０には複数の静止画が格納されており、フォルダ４０がトンネルウィンドウ３０Ｂにドラッグされると、第１画像表示領域４Ａには、複数の静止画がスライドショウにより表示される、
【００７６】
図７は、ペンボタン３３を用いて、第２画像表示領域４Ｂに表示されている画像に書き込みを行う場合を示している。図７の例では、クロスボーダータスクバー５Ａのプレゼンテーションボタン３１Ａが押され、第２画像表示領域４Ｂはプレゼンテーション画像４２が表示されている。
【００７７】
閲覧者であるユーザは、ペンボタン３３を押して例えば“ＡＢＣＤ・・・”とのように、第２画像表示領域４Ｂに表示されたプレゼンテーション画像４２に書き込みを行う。その後、ミラーボタン３１Ｅをユーザが押すことによって、第１画像表示領域４Ａのポップアップ・ウィンドウ４３に書き込みが行われたプレゼンテーション画像４２が表示される。
【００７８】
（第３実施形態）
以下、本発明の第３実施形態について説明する。
【００７９】
図８は、本実施形態に係る情報処理装置であるタブレット型端末５０の構成を示す。なお、図８における図１と同一の構成部分については図１と同一の符号を付して、その説明を省略する。
【００８０】
タブレット型端末５０は、第１筐体２Ａと第２筐体２Ｂ各々が画像表示部４を備える。第１筐体２Ａに備えられる画像表示部４が第１画像表示領域４Ａとされ、第２筐体２Ｂに備えられる画像表示部４が第２画像表示領域４Ｂとされる。
【００８１】
タブレット型端末５０は、テントモードと判定された場合にクロスボーダータスクバー５Ａが第１画像表示領域４Ａに表示される。テントモードと判定された場合に、クロスボーダータスクバー５Ｂが第２画像表示領域４Ｂに表示されてもよい。
【００８２】
また、タブレット型端末５０は、第１筐体２Ａと第２筐体２Ｂとが分割可能とされてもよい。分割された第１筐体２Ａと第２筐体２Ｂとは、無線又は有線によりデータの送受信が可能とされている。
【００８３】
クロスボーダータスクバー５Ａは、第１画像表示領域４Ａと第２画像表示領域４Ｂとの予め定められた位置関係として、第１筐体２Ａと第２筐体２Ｂとが分割された場合に、第１画像表示領域４Ａに表示される。また、第１筐体２Ａと第２筐体２Ｂとが分割された場合に、クロスボーダータスクバー５Ｂが第２画像表示領域４Ｂに表示されてもよい。
【００８４】
以上、本発明を、上記各実施形態を用いて説明したが、本発明の技術的範囲は上記実施形態に記載の範囲には限定されない。発明の要旨を逸脱しない範囲で上記各実施形態に多様な変更又は改良を加えることができ、該変更又は改良を加えた形態も本発明の技術的範囲に含まれる。また、上記各実施形態を適宜組み合わせてもよい。
【００８５】
例えば、上記各実施形態では、クロスボーダータスクバー５Ａに、トンネルウィンドウ３０Ａ、画面モード切替ボタン３１、及びコントロールボタン３２を備える形態について説明したが、本発明は、これに限定されるものではない。クロスボーダータスクバー５Ａに上記ボタンとは異なる機能を有するボタンを備えてもよいし、上記ボタンの一部を備えるとしてもよい。
【００８６】
また、上記第１，第２実施形態では、テントモードの場合に、画像表示制御部２６がクロスボーダータスクバー５Ａを第１画像表示領域４Ａに表示させる形態について説明したが、本発明は、これに限定されるものではない。例えば、画像表示制御部２６は、テントモードでなくても、ベーシックモード等、他のモードの場合に、ユーザの操作に応じてクロスボーダータスクバー５Ａを第１画像表示領域４Ａに表示してもよい。クロスボーダータスクバー５Ａを表示させる操作がユーザによって行われると、これに応じて画像表示部４が第１画像表示領域４Ａと第２画像表示領域４Ｂに仮想的に分割される。
【符号の説明】
【００８７】
１    フレキシブル・ディスプレイ装置（情報処理装置）
４Ａ  第１画像表示領域
４Ｂ  第２画像表示領域
２５  モード判定部（判定部）
２６  画像表示制御部
５Ａ  クロスボーダータスクバー（グラフィカル・ユーザ・インターフェイス）
【図１】
2017211925.tif 000003
【図２】
2017211925.tif 000004
【図３】
2017211925.tif 000005
【図４】
2017211925.tif 000006
【図５】
2017211925.tif 000007
【図６】
2017211925.tif 000008
【図７】
2017211925.tif 000009
【図８】
2017211925.tif 000010